(57)【特許請求の範囲】
【請求項１】
車両用ドアの車内側の周囲に装着されるドアウエザーストリップであって、
上記ドアに対する取付固定部となる取付基部と、
この取付基部の車内側の部位から車内側に向けて突出形成された中空シールリップと、
上記中空シールリップから隔離していて、取付基部の車外側の部分を厚肉形状とすることで形成されたショルダー部と、
上記ショルダー部から二股状に分岐するかたちでそれぞれ車外側に向けて斜めに突出形成された舌片状の車内側シールリップおよびその車内側シールリップよりも車外側に位置する舌片状の車外側シールリップと、
を備えていて、
上記車内側シールリップは、車内側の面が凸形状となるように突出方向中間部の屈曲部をもって断面略くの字状に屈曲させた形状となっている一方、
上記車外側シールリップは、車内側シールリップよりも厚肉形状であって、且つ車内側の面が凹形状で車外側の面が凸形状となるように湾曲形状のものとして形成されているとともに、取付基部に近い根元側部分と先端に近い先端側部分とに突出方向で二分した場合に、先端側部分が根元側部分よりも厚肉形状のものとして形成されていて、
さらに、上記車外側シールリップのショルダー部からの突出長は、車内側シールリップのうち屈曲部よりも先端側の部分の突出長よりも大きく設定されているとともに、車内側シールリップと車外側シールリップとが自由状態でなす離間距離は、ショルダー部に対する根元部側での離間距離よりも先端部側での離間距離の方が徐々に大きくなるように形成されていて、
ドア閉止に伴う車体パネルとの弾接時には、上記車内側シールリップのうち屈曲部よりも先端側の部分が、車外側シールリップと接触することなく当該車外側シールリップとほぼ平行となるように、車内側シールリップおよび車外側シールリップが中空シールリップとともに撓み変形するようになっていることを特徴とするドアウエザーストリップ。
【請求項２】
上記車内側シールリップおよび車外側シールリップは、ショルダー部とともに取付基部よりも軟質のゴム系材料で形成されていることを特徴とする請求項１に記載のドアウエザーストリップ。
【発明の詳細な説明】
【技術分野】
【０００１】
本発明は、車両用ドアの車内側の周囲に装着されてドア閉時に車室内外間での気密性および水密性を確保するためのドアウエザーストリップの改良に関する。
【背景技術】
【０００２】
この種のドアウエザーストリップとして例えば特許文献１に記載されているように、室内側の中空シールリップとは別に、当該室内側の中空シールリップよりも室外側に舌片状の車内側シールリップと車外側シールリップとを並べるようにして設けたものが知られている。そして、この構造によれば、ドアの建て付けに若干のばらつきが生じたとしても、シール性の低下や、ドア閉力の増大に伴う不具合を回避できるとされている。
【先行技術文献】
【特許文献】
【０００３】
【特許文献１】特開２００２−６７７０２号公報
【発明の概要】
【発明が解決しようとする課題】
【０００４】
しかしながら、特許文献１に記載されたドアウエザーストリップでは、ドア閉時に舌片状の車内側シールリップと車外側シールリップとが共に同じ車外側に向かってに撓み変形することから、車外側シールリップの根元部に車内側シールリップの先端部が重なり合うようにして両者が干渉するかたちとなる。そのため、車両走行時に車内側シールリップと車外側シールリップとが擦れ合い、それに伴ってきしみ音にも似た異音（擦れ音）が発生するという問題があった。
【０００５】
そこで、上記のような双方のシールリップ同士の干渉を回避する上では、シールリップ同士の間隔を広げることが有効であるが、例えば車内側シールリップの位置を車内側に移動すると中空シールリップとの干渉を招くことになる一方、車外側シールリップの位置を車外側に移動すると、ドア閉時に車体とドアとのなすパーティング部から車外側シールリップがはみ出して外観品質の低下を招くという問題がある。このようなことから、車内側シールリップと車外側シールリップとの間隔を広げることは現実的ではない。
【０００６】
また、上記のような双方のシールリップ同士の干渉を回避する手段として、それぞれのシールリップの肉厚を小さく（薄く）することも可能ではあるが、この場合には、それらのシールリップ同士による遮音性が低下してしまうおそれがあるほか、特に高速走行時にシールリップの一部が上記パーティング部から吸い出されてしまう可能性があり、シールリップ同士の干渉回避手段としては採用することができない。
【０００７】
本発明はこのような課題に着目してなされたものであり、室内側の中空シールリップとは別に、当該室内側の中空シールリップよりも室外側に舌片状の車内側シールリップと車外側シールリップとを併存させることを前提に、ドア閉時に車内側シールリップと車外側シールリップとが干渉しないように考慮されたドアウエザーストリップの構造を提供するものである。
【課題を解決するための手段】
【０００８】
本発明は、請求項１に記載のように、車両用ドアの車内側の周囲に装着されるドアウエザーストリップであって、上記ドアに対する取付固定部となる取付基部と、この取付基部の車内側の部位から車内側に向けて突出形成された中空シールリップと、上記中空シールリップから隔離していて、取付基部の車外側の部分を厚肉形状とすることで形成されたショルダー部と、上記ショルダー部から二股状に分岐するかたちでそれぞれ車外側に向けて斜めに突出形成された舌片状の車内側シールリップおよびその車内側シールリップよりも車外側に位置する舌片状の車外側シールリップと、を備えている。
その上で、上記車内側シールリップは、車内側の面が凸形状となるように突出方向中間部の屈曲部をもって断面略くの字状に屈曲させた形状となっている一方、上記車外側シールリップは、車内側シールリップよりも厚肉形状であって、且つ車内側の面が凹形状で車外側の面が凸形状となるように湾曲形状のものとして形成されているとともに、取付基部に近い根元側部分と先端に近い先端側部分とに突出方向で二分した場合に、先端側部分が根元側部分よりも厚肉形状のものとして形成されている。
さらに、上記車外側シールリップのショルダー部からの突出長は、車内側シールリップのうち屈曲部よりも先端側の部分の突出長よりも大きく設定されているとともに、車内側シールリップと車外側シールリップとが自由状態でなす離間距離は、ショルダー部に対する根元部側での離間距離よりも先端部側での離間距離の方が徐々に大きくなるように形成されている。
そして、ドア閉止に伴う車体パネルとの弾接時には、上記車内側シールリップのうち屈曲部よりも先端側の部分が、車外側シールリップと接触することなく当該車外側シールリップとほぼ平行となるように、車内側シールリップおよび車外側シールリップが中空シールリップとともに撓み変形するようになっていることを特徴とする。
【０００９】
この場合において、車内側シールリップおよび車外側シールリップの撓み変形時の挙動を安定化させる上では、請求項２に記載のように、上記車内側シールリップおよび車外側シールリップは、ショルダー部とともに取付基部よりも軟質のゴム系材料で形成されていることが望ましい。
【００１２】
したがって、少なくとも請求項１に係る発明では、ドア閉時に車内側シールリップおよび車外側シールリップの双方の先端部にドアが弾接して、両者は共に車外側に向かって撓み変形することになるものの、車内側の面が凹形状で車外側の面が凸形状となるように湾曲している厚肉形状の車外側シールリップが、その凹形状の車内側の面で車内側シールリップを受容するようなかたちとなるので、双方のシールリップ同士の干渉を回避できるようになる。
【発明の効果】
【００１３】
請求項１に記載の発明によれば、車内側シールリップと車外側シールリップとが干渉することがないので、従来のような両者の擦れによる異音の発生を未然に防止できるほか、車外側シールリップが厚肉のものであることにより遮音性の向上も同時に図れるようになる。
【００１４】
また、車内側シールリップが断面略くの字状に屈曲したものであるため、車内側シールリップの撓み変形時の折れ点が安定化し、撓み変形に伴って車外側にひきずられることがなく、車内側シールリップと車外側シールリップとの干渉をより確実に防止できるようになる。
【００１５】
さらに、車外側シールリップのうち先端部寄りの部分が根元部寄りの部分に比べて厚肉に形成されているので、遮音性の向上に一段と寄与することができるほか、車内側の面が凹形状で車外側の面が凸形状となるように湾曲した形状のままで車外側シールリップが撓み変形することが可能であり、車内側シールリップと車外側シールリップとの干渉を回避する上で一段と有利になる。
【００１６】
加えて、取付基部の一部であるショルダー部から二股状に分岐するかたちで車内側シールリップと車外側シールリップとが突出形成されているので、車外側シールリップの車外側の面と車両用ドアとの間に隙間を確保することができ、車外側シールリップが撓み変形時に車両用ドアと干渉することを防止できる。
【図面の簡単な説明】
【００１７】
【図１】自動車の側面部の要部斜視図。
【図２】本発明に係るドアウエザーストリップの実施の形態を示し、図１のＡ−Ａ線に沿った自由状態での拡大断面図。
【図３】図２の状態からドアとの弾接によって撓み変形したドアウエザーストリップの断面図。
【発明を実施するための形態】
【００１８】
図１〜３は本発明に係るドアウエザーストリップを実施するためのより具体的な形態を示し、図１は自動車の側面部の一部を示していて、図２は図１のＡ−Ａ線に沿った拡大断面図であって且つドアウエザーストリップの自由状態での断面を示している。また、図３はドア閉時にドアとの弾接によって図２のドアウエザーストリップが撓み変形した状態を示している。
【００１９】
図１，２に示すように、ドアウエザーストリップ５は図１のドアＤ１の周囲のうち室内側の部分にいわゆる閉ループ状に装着されているものであって、車体側のルーフ部に沿う部分では、爪部３，４を主要素としてドアサッシュ１のサッシュパネルの一部に折り曲げ形成されたリテーナ部２に嵌合保持されている。
【００２０】
図２に示すように、ドアウエザーストリップ５は、大きく分けて、リテーナ部２に嵌合保持された取付基部６と、取付基部６のうち車内（室内）側の端部から車内側に向かって一体的に突出形成された中空シールリップ７と、取付基部６のうち車外（室外）側の端部から車外側に向けて一体的に突出形成された舌片状の車内側シールリップ８と、同じく取付基部６のうち車内側シールリップ８の突出位置よりもさらに車外側の部位から車外側に向けて突出形成された舌片状の車外側シールリップ９と、から構成されている。
【００２１】
取付基部６は中空部６ａを有した略矩形状の厚肉形状のものであり、車内側の突出部１０が爪部３の内側にはまり込み、且つ車外側の二段のビード部１１，１２の間にリテーナ部２の爪部４が噛み合うことでドアサッシュ１に堅固に嵌合保持される。取付基部６の車内側の端部から車内側に向かって大きくオーバーハングするかたちで中空シールリップ７が一体的に突出形成されている。この中空シールリップ７は相手側となる車体パネルＰに向かって凸形状となる断面略Ｄ字状のものとして形成されている。そして、図２のような自由状態においても中空シールリップ７の一部がドアサッシュ１のサッシュパネルに着座している。なお、中空シールリップ７の内周面には変形容易部としてのノッチ部７ａが形成されている。
【００２２】
また、取付基部６のうち車外側の端部はさらに厚肉且つ中実のショルダー部１３とされていて、このショルダー部１３から二股状に分岐するかちで車内側シールリップ８と車外側シールリップ９とがそれぞれ車外側に向けて斜めに突出形成されている。
【００２３】
車内側シールリップ８はその車内側の面８ａが凸形状となるように断面略くの字状に屈曲していて、屈曲部８ｂよりも先端側の部分が車外側に向かって傾斜している。
【００２４】
また、車外側シールリップ９は全体として車内側シールリップ８よりも厚肉形状のものとして形成されているとともに、車内側の面９ａが凹形状で車外側の面９ｂが凸形状となるように全体として比較的曲率半径の大きく緩やかな湾曲した形状に形成されている。
【００２５】
そして、車外側シールリップ９のうちショルダー部１３に近い根元側部分と先端に近い先端側部分とに突出方向で二分した場合に、先端側部分を根元側部分よりもさらに厚肉形状のものとして形成してある。これにより、車内側シールリップ８と車外側シールリップ９とが図２の自由状態でなす距離は根元部側よりも先端部側の方が徐々に大きくなるように形成されているとともに、車外側シールリップ９は厚肉形状故に車内側シールリップ８に比べその剛性が十分に大きいものとされている。
【００２６】
さらに、図３に示すように、ドア閉時には車内側シールリップ８および車外側シールリップ９の先端部がそれぞれ相手側の車体パネルＰに弾接または圧接することになるが、その際に車内側および車外側の双方のシールリップ８，９同士が干渉することがないように、車内側シールリップ８および車外側シールリップ９の突出長が予め設定されている。
【００２７】
ここで、図２に示すように、取付基部６の大部分がソリッドゴムで形成されているのに対して、それ以外の中空シールリップ７や車内側シールリップ８および車外側シールリップ９等はソリッドゴムよりも軟質のスポンジゴムで形成されている。また、ドアサッシュ１のうち車外に露出する部分には加飾または意匠性付与のために例えばゴム層１４ａにて裏打ちされたステンレス製のサッシュモール１４をかぶせてある。
【００２８】
したがって、このように構成されたドアウエザーストリップ５によれば、ドア開時の自由状態では図２のような復元形状にある一方、ドア閉時の閉め切り状態においては、図３に示すように、中空シールリップ７のほか車内側シールリップ８および車外側シールリップ９のそれぞれが車体パネルＰに弾接または圧接して撓み変形することになる。
【００２９】
そして、ドアサッシュ１と車体パネルＰとのなすパーティング部において車室内外方向で隔離している隔壁部（シール壁部）の数を中空シールリップ７で二つとして数えるならば、つまり潰れ変形している中空シールリップ７のうち車外側の壁部と車外側の壁部とで二つとして数えるならば、これらに車内側シールリップ８と車外側シールリップ９とを加えて四つの隔壁部が介在していることになり、実質的に四重シールのかたちで車室内外がシールされていることになる。
【００３０】
より具体的には、中空シールリップ７のほか車内側および車外側のそれぞれのシールリップ８，９の撓みの変形時の挙動について詳しく見た場合、中空シールリップ７については、車体パネルＰとの弾接または圧接によってその車体パネルＰとドアサッシュ１との間に挟まれるようにして根元部側から大きく潰れ変形し、その潰れ形状の長径方向が車室内外方向に延在しているかたちとなる。
【００３１】
また、車内側シールリップ８および車外側シールリップ９については、それらの先端部が車体パネルＰに弾接または圧接し、それによって車内側および車外側の双方のシールリップ８，９が一段と車外側を指向するように撓んで屈曲変形する。その際に、車内側シールリップ８は屈曲部８ｂがあることによって予め折れ線（折れ点）位置をくせ付けしてあるものとも理解することができることから、屈曲部８ｂから反復性良く安定して折れ曲がり、車外側シールリップ９に対して接近する方向に屈曲変形することになる。
【００３２】
その一方、車外側シールリップ９は車内側の面９ａが凹形状で車外側の面９ｂが凸形状となった自由状態での湾曲形状を維持したままでショルダー部１３に対する根元部から車内側シールリップ８と同じ方向に屈曲変形するかたちとなり、実質的に凹形状の車内側の面９ａで車内側シールリップ８の先端部を受容するようなかたちとなる。
【００３３】
ここで、図３から明らかなように、中空シールリップ７は取付基部６から直接突出形成されているのに対して、車内側シールリップ８および車外側シールリップ９は取付基部６よりもさらに一段高いショルダー部１３から突出形成されているため、車外側シールリップ９の車外側の面９ｂとドアサッシュモール１４との間に図２に示す隙間ｈを確保することができ、ドア閉時にドアサッシュモール１４と車外側シールリップ９とが干渉するのを回避できてドア閉じ性を悪化させることがない。また、潰れ変形した中空シールリップ７と屈曲変形した車内側シールリップ８とが互いに干渉することがないように両者の距離が予め設定されていることは言うまでもない。
【００３４】
そのため、図３から明らかなように、車内側シールリップ８と車外側シールリップ９は共に先端部が車体パネルＰに弾接または圧接した状態で互いにほぼ平行な状態を維持することから、両者の間に十分な隙間が確保されて車内側および車外側の双方のシールリップ８，９同士が干渉することはなくなる。
【００３５】
また、車外側シールリップ９はその肉厚が相対的に車内側シールリップ８よりも大きいものとして設定されているだけではなく、車外側シールリップ９のうちでもショルダー部１３に近い根元側部分と先端に近い先端側部分とに突出方向で二分した場合に、先端側部分を根元側部分よりもさらに厚肉形状のものとして形成してあるため、車内側へ伝播する車外音を遮断する遮音性の上でも一段と有利となる。
【００３６】
その上、先に述べたように、車内側シールリップ８は折れ線となる屈曲部８ｂがあることによって反復性良く安定して屈曲部８ｂから撓んで屈曲変形することから、ドアＤ１の閉じ具合によって屈曲位置がばらつくことがなく、これによってもまた車内側シールリップ８と車外側シールリップ９との干渉を防止する上で一段と有利になる。
【００３７】
さらに、図３から明らかなように、車外側シールリップ９のうち先端側部分を根元側部分よりも厚肉に形成してあるため、ドア閉時にドアサッシュモール１４と車外側シールリップ９の根元部とが干渉するのを回避できてドア閉じ性を悪化させるようなこともない。
【００３８】
したがって、本実施の形態のドアウエザーストリップ５によれば、並設されている車内側シールリップ８と車外側シールリップ９とが共に同じ方向に屈曲変形したとしても両者が干渉することがないため、従来から問題とされていた双方のシールリップ８，９同士の干渉による擦れ音の発生を未然に防止することができるほか、ドアウエザーストリップ５による遮音性の面でも有利となり、車内での静粛性の向上にも寄与することができるようになる。
【００３９】
なお、本実施の形態では、図１のフロントドアＤ１のＡ−Ａ線に沿った断面を図２，３に示しているが、リアドアＤ２の同等部位であるところのＢ−Ｂ線に沿った断面についても図２，３と同様の断面形状となることから、リアドアＤ２側のドアウエザーストリップについても本発明を適用することができる。
【符号の説明】
【００４０】
５…ドアウエザーストリップ
６…取付基部
７…中空シールリップ
８…車内側シールリップ
８ａ…車内側の面
８ｂ…屈曲部
９…車外側シールリップ
９ａ…車内側の面
９ｂ…車外側の面
１３…ショルダー部
Ｄ１…ドア
【図１】
0006429524.tif 000002
【図２】
0006429524.tif 000003
【図３】
0006429524.tif 000004